(57)【特許請求の範囲】
【請求項１】
ベースに対して昇降駆動される昇降部材に、リベット体の突起を打撃するハンマーと、そのハンマーおよび前記昇降部材に対して上下方向に摺動自在で且つスプリングによって下方に付勢された筒状の取付け部材と、当該取付け部材の下端部に挿抜自在に連結された筒状の保持部材とを備えた打込み装置を設ける一方、前記ベースには、前記打込み装置の直下位置にリベット体の受座を設け、前記保持部材にスナップ嵌合体を保持させ且つ前記受座にリベット体を載置すると共に、受座と打込み装置間に可撓性シートを介装した状態で、打込み装置を昇降駆動することにより、可撓性シートを通してスナップ嵌合体の中央貫通孔に挿入されたリベット体の突起を前記ハンマーで打撃し、突起先端部を拡径変形させてスナップ嵌合体の中央貫通孔にカシメ止めするようにしたスナップファスナー取付け機において、前記取付け部材の両側面に１８０度の位相を持たせて開口するスリットを形成し、前記保持部材の外周面に前記スリットと対向す環状溝を形成する一方、１本の鋼線を曲げ加工して作製され、前記取付け部材の前面に沿って位置する半円状の折曲線材部分と、その左右両端から後方へ折曲連設され、前記スリットを通して前記環状溝に係合するように構成され且つ自由状態において前記折曲線材部分から遠ざかるにつれて間隔が次第に狭くなるようなテーパー状とされ、最も狭い部位の間隔が環状溝の底面における保持部材の外径よりも若干狭く設定されている一対の第１線材部分と、第１線材部分の後端から後方へ連設され、前記取付け部材の保持部材が挿入される部位の内径よりも広く且つ当該部位の外径よりも狭い間隔を隔てて位置する一対の第２線材部分と、第２線材部分の後端から各々内側へ略直角に折曲連設され且つ端面同士を同芯状に突き合わせた抜止め用の線材部分とから成るスナップピンを設け、取付け部材に対してスナップピンを後方へスライドさせた状態においては、第１線材部分がスリットを通して前記環状溝に係合し、当該スナップピンを前方へスライドさせた状態においては、第２線材部分がスリット内に位置すると共に、第１線材部分と環状溝との係合が離脱して保持部材を抜き取れるように構成してあることを特徴とするスナップファスナー取付け機。
【発明の詳細な説明】
【０００１】
【発明の属する技術分野】
本発明は、ベースに対して昇降駆動される昇降部材に、リベット体の突起を打撃するハンマーと、そのハンマーおよび前記昇降部材に対して上下方向に摺動自在で且つスプリングによって下方に付勢された筒状の取付け部材と、当該取付け部材の下端部に挿抜自在に連結された筒状の保持部材とを備えた打込み装置を設ける一方、前記ベースには、前記打込み装置の直下位置にリベット体の受座を設け、前記保持部材にスナップ嵌合体を保持させ且つ前記受座にリベット体を載置すると共に、受座と打込み装置間に可撓性シートを介装した状態で、打込み装置を昇降駆動することにより、可撓性シートを通してスナップ嵌合体の中央貫通孔に挿入されたリベット体の突起を前記ハンマーで打撃し、突起先端部を拡径変形させてスナップ嵌合体の中央貫通孔にカシメ止めするようにしたスナップファスナー取付け機に関する。
【０００２】
【従来の技術】
この種のスナップファスナー取付け機においては、可撓性シートに雌型のスナップ嵌合体を取り付けるときと、雄型のスナップ嵌合体を取り付けるときとで、雌雄のスナップ嵌合体の形状に対応した保持部材に交換する必要がある。また、同じ雌型又は雄型であっても、サイズの異なるスナップ嵌合体を取付け作業の対象とするときには、当該サイズに適合した保持部材に交換する必要がある。
【０００３】
このため、従来では、図８にスナップファスナー取付け機の要部横断平面図を示すように、取付け部材１２の両側面に１８０度の位相を持たせて開口するスリット１５，１５を形成し、保持部材１３の外周面に前記スリット１５，１５と対向す環状溝１６を形成する一方、図８に示すような形状のスナップピン７０を設け、前記スリット１５，１５を通してスナップピン７０を前記環状溝１６に係合させることにより、保持部材１３を取付け部材１２に固定し、スナップピン７０を前方へ抜き取ることにより、保持部材１３を取り外して、形状やサイズの異なる保持部材と交換するように構成していた。図中の１０は、ハンマーである。
【０００４】
【発明が解決しようとする課題】
しかしながら、上記の従来例では、次のような欠点があった。
（１）  保持部材１３の着脱交換を行う際、スナップピン７０を抜き取ることが必要であるため、スナップピン７０を紛失しやすい。
（２）  保持部材１３を取付け部材１２に固定した状態において、スナップピン７０の前端に形成されたリング状の摘み部分７０ａが取付け部材１２の前方に著しく突出しており、スナップファスナー取付け作業時には、この状態で、取付け部材１２及び保持部材１３が昇降動作することになるので、摘み部分７０ａが視覚的な邪魔になって、保持部材１３先端に保持されたスナップ嵌合体が見えにくいのみならず、下降する摘み部分７０ａで手指を打ち付ける可能性があり、安全面でも問題があった。
【０００５】
本発明は、この点を改良したものであって、保持部材を着脱交換する際のスナップピンの紛失を防止でき、しかも、スナップファスナー取付け作業時に、スナップピンが邪魔にならず、可撓性シートに対するスナップファスナーの取付け作業を容易かつ安全に行えるようにすることを目的としている。
【０００６】
【課題を解決するための手段】
上記の目的を達成するために、本発明では、ベースに対して昇降駆動される昇降部材に、リベット体の突起を打撃するハンマーと、そのハンマーおよび前記昇降部材に対して上下方向に摺動自在で且つスプリングによって下方に付勢された筒状の取付け部材と、当該取付け部材の下端部に挿抜自在に連結された筒状の保持部材とを備えた打込み装置を設ける一方、前記ベースには、前記打込み装置の直下位置にリベット体の受座を設け、前記保持部材にスナップ嵌合体を保持させ且つ前記受座にリベット体を載置すると共に、受座と打込み装置間に可撓性シートを介装した状態で、打込み装置を昇降駆動することにより、可撓性シートを通してスナップ嵌合体の中央貫通孔に挿入されたリベット体の突起を前記ハンマーで打撃し、突起先端部を拡径変形させてスナップ嵌合体の中央貫通孔にカシメ止めするようにしたスナップファスナー取付け機において、１本の鋼線を曲げ加工して作製され、前記取付け部材の両側面に１８０度の位相を持たせて開口するスリットを形成し、前記保持部材の外周面に前記スリットと対向す環状溝を形成する一方、前記取付け部材の前面に沿って位置する半円状の折曲線材部分と、その左右両端から後方へ折曲連設され、前記スリットを通して前記環状溝に係合するように構成され且つ自由状態において前記折曲線材部分から遠ざかるにつれて間隔が次第に狭くなるようなテーパー状とされ、最も狭い部位の間隔が環状溝の底面における保持部材の外径よりも若干狭く設定されている一対の第１線材部分と、第１線材部分の後端から後方へ連設され、前記取付け部材の保持部材が挿入される部位の内径よりも広く且つ当該部位の外径よりも狭い間隔を隔てて位置する一対の第２線材部分と、第２線材部分の後端から各々内側へ略直角に折曲連設され且つ端面同士を同芯状に突き合わせた抜止め用の線材部分とから成るスナップピンを設け、取付け部材に対してスナップピンを後方へスライドさせた状態においては、第１線材部分がスリットを通して前記環状溝に係合し、当該スナップピンを前方へスライドさせた状態においては、第２線材部分がスリット内に位置すると共に、第１線材部分と環状溝との係合が離脱して保持部材を抜き取れるように構成している。
【０００７】
上記の構成によれば、スナップピンの第１線材部分が取付け部材のスリットを通して保持部材の環状溝に係合することにより、保持部材が取付け部材に固定された状態では、取付け部材の後方に第２線材部分や抜止め用の線材部分が突出しているが、取付け部材の前方には、スナップピンの一部（半円状の折曲線材部分）が取付け部材の前面に沿って位置するだけであり、従来のスナップピンの摘み部に相当する顕著な突出部分がないので、スナップファスナー取付け作業時に、スナップピンが邪魔にならず、下降するスナップピンで手指を打ち付ける虞もない。
【０００８】
また、保持部材の着脱交換を行う際には、取付け部材の後方に突出している抜止め用の線材部分に指を掛けて、当該線材部分を前方へ押し出すことにより、スナップピンを取付け部材に対して前方へスライドさせ、第１線材部分と環状溝との係合を離脱させる。この状態においては、間隔の広い２線材部分がスリット内に位置しているので、保持部材の抜き差しが可能であり、それでいて、第２線材部分の後端に折曲連設された抜止め用の線材部分が取付け部材の背面と係合して、それ以上の前方へのスライドが阻止されるので、スナップピンの脱落が防止される。換言すれば、スナップピンを抜き取らずに、前後にスライドさせるだけで、保持部材の着脱交換を行うことができる。従って、保持部材の着脱交換が非常に容易であり、しかも、保持部材を着脱交換する際のスナップピンの紛失を防止できるのである。
【０００９】
【発明の実施の形態】
以下、本発明の実施の形態を例示図に基づいて説明する。図１はスナップファスナー取付け機を示し、図２、図３は、その要部を示す。
【００１０】
図１において、１はスタンドであり、その上部には、駆動ケースを兼ねたベース２が連設されている。ベース２の前部側は、前方と左右両側方に開放した作業スペースＳを形成するように、上フレーム２ａと下フレーム２ｂとに分かれている。
【００１１】
上フレーム２ａに設けた筒状ガイド３には、図外の駆動機構により昇降駆動される昇降部材４が上下方向摺動自在に保持されており、昇降部材４の下端部には、打込み装置Ａが設けられている。ベース２の下フレーム２ｂには、前記打込み装置Ａの直下位置にリベット体の受座Ｂが設けられている。
【００１２】
受座Ｂは、図２に示すように、金属製ケース５、上端にリベット体の頭部を支持するための凹入湾曲した支持面６ａが形成された受け部材６、当該受け部材６を弾性的に支持する圧縮バネ７、横断面形状が円形の筒状ガイド８、当該筒状ガイド８を上方へ摺動付勢する前記圧縮バネ７よりもバネ力の弱いスプリング９等を備えており、ベース２の下フレーム２ｂに穿設した孔に上方から、金属製ケース５のフランジ部５ａが孔縁部上面に当接するまで落とし込むことによって、着脱交換自在に装着されるものである。
【００１３】
打込み装置Ａは、図２に示すように、リベット体の突起を打撃するハンマー１０と、そのハンマー１０および前記昇降部材４に対して上下方向に摺動自在で且つスプリング１１によって下方に付勢された筒状の取付け部材１２と、当該取付け部材１２の下端部に挿抜自在に連結された筒状の保持部材１３とを備えており、保持部材１３は、雌型のスナップ嵌合体を保持し得るように構成されている。
【００１４】
そして、図２に示すように、スナップファスナー構成部材である雌型のスナップ嵌合体ａを前記保持部材１３に保持させ、且つ、他のスナップファスナー構成部材であるリベット体ｂを前記受座Ｂに支持させ、スナップ嵌合体ａとリベット体ｂとの間に、衣服の生地等の可撓性シートｃを介装させた状態で、図１のペダル１４を踏み込むと、図外の駆動機構により一回転クラッチを介して、昇降部材４が昇降駆動され、打込み装置Ａが下降することにより、可撓性シートｃを通してスナップ嵌合体ａの中央貫通孔に挿入されたリベット体ｂの突起を前記ハンマー１０で打撃し、突起先端部を拡径変形させてスナップ嵌合体ａの中央貫通孔にカシメ止めするようになっている。
【００１５】
この実施形態は、上記のスナップファスナー取付け機において、前記保持部材１３を取付け部材１２に対して着脱交換するための構造を次のとおりに構成した点に特徴がある。即ち、図３に示すように、取付け部材１２の両側面に１８０度の位相を持たせて内外に開口するスリット１５，１５を形成し、保持部材１３の外周面には、前記スリット１５，１５と対向する位置に環状溝１６を形成してある。１７はスリットを通して前記環状溝１６に係合することより、保持部材１３を取付け部材１２に固定するためのスナップピンである。
【００１６】
スナップピン１７は、１本の鋼線を曲げ加工して作製したもので、図４に示すように、前記取付け部材１２の前面に沿って位置する半円状（又は略コの字状）の折曲線材部分１７ａと、その左右両端から後方へ折曲連設され、前記スリット１５，１５を通して前記環状溝１６に係合するように構成された一対の第１線材部分１７ｂ，１７ｂと、第１線材部分１７ｂ，１７ｂの後端から後方へ連設され、前記取付け部材１２の保持部材１３が挿入される部位の内径（これは、取付け部材１２に挿入される保持部材１３部分の外径と略合致している。）よりも広く且つ当該部位の外径よりも狭い間隔Ｌ１を隔てて位置する互い一対の第２線材部分１７ｃ，１７ｃと、第２線材部分１７ｃ，１７ｃの後端から各々内側へ略直角に折曲連設された抜止め用の線材部分１７ｄ，１７ｄとから構成されている。
【００１７】
そして、取付け部材１２に対してスナップピン１７を後方へスライドさせた状態においては、第１線材部分１７ｂ，１７ｂがスリット１５，１５を通して前記環状溝１６に係合し、図５、図６に示すように、スナップピン１７を前方へスライドさせた状態においては、第２線材部分１７ｃ，１７ｃがスリット１５，１５内に位置すると共に、第１線材部分１７ｂ，１７ｂと環状溝１６との係合が離脱して保持部材を抜き取れるように構成してある。第１線材部分１７ｂ，１７ｂは、自由状態において、図４に示すように、折曲線材部分１７ａから遠ざかるにつれて間隔が次第に狭くなるようなテーパー状とされており、第１線材部分１７ｂ，１７ｂ間の最も狭い部位の間隔Ｌ２は、環状溝１６の底面における保持部材１３の外径（環状溝１６の底面間の距離であり、これはスリット１５，１５間の距離と略一致している。）よりも若干狭く設定されている。
【００１８】
上記の構成によれば、スナップピン１７の第１線材部分１７ｂ，１７ｂが取付け部材１２のスリット１５，１５を通して保持部材１３の環状溝１６に係合することにより、保持部材１３が取付け部材１２に固定された状態では、取付け部材１２の後方に第２線材部分１７ｃ，１７ｃや抜止め用の線材部分１７ｄ，１７ｄが突出しているが、取付け部材１２の前方には、スナップピン１７の一部（半円状又は略コの字状の折曲線材部分１７ａ）が取付け部材１２の前面に沿って位置するだけである。換言すれば、従来のスナップピンの摘み部に相当する顕著な突出部分がない。従って、スナップファスナー取付け作業時に、スナップピン１７が視覚的な邪魔にならず、下降するスナップピン１７で手指を打ち付ける虞もない。
【００１９】
また、保持部材１３の着脱交換を行う際には、取付け部材１２の後方に突出している抜止め用の線材部分１７ｄ，１７ｄに指を掛けて、当該線材部分１７ｄ，１７ｄを前方へ押し出すことにより、スナップピン１７を取付け部材１２に対して前方へスライドさせ、第１線材部分１７ｂ，１７ｂと環状溝１６との係合を離脱させる。
【００２０】
この状態においては、図５、図６に示すように、間隔Ｌ１の広い２線材部分１７ｃ，１７ｃがスリット１５，１５内に位置しているので、保持部材１３の抜き差しが可能であり、それでいて、第２線材部分１７ｃ，１７ｃの後端に折曲連設された抜止め用の線材部分１７ｂ，１７ｂが取付け部材１２の背面と係合して、それ以上の前方へのスライドが阻止されるので、スナップピン１７の脱落が防止される。換言すれば、スナップピン１７を抜き取らずに、前後にスライドさせるだけで、保持部材１３の着脱交換を行うことができる。従って、保持部材１３の着脱交換が非常に容易であり、しかも、保持部材１３を着脱交換する際のスナップピン１７の紛失を防止できるのである。
【００２１】
尚、図１〜図６の実施形態では、保持部材１３として、雌型のスナップ嵌合体ａを保持するためのものを示したが、図７に示すように、雄型のスナップ嵌合体ａ’を保持するための保持部材１３’についても、先端の形状が異なるだけであるから、前記スナップピン１７の前後方向へのスライドにより着脱交換できることは、当然である。図中の１８は、割リング状のスプリングである。
【００２２】
【発明の効果】
以上のとおり、本発明によれば、保持部材を着脱交換する際のスナップピンの紛失を防止でき、しかも、スナップファスナー取付け作業時に、スナップピンが邪魔にならず、可撓性シートに対するスナップファスナーの取付け作業を容易かつ安全に行える等の効果がある。
【図面の簡単な説明】
【図１】  スナップファスナー取付け機の全体側面図である。
【図２】  要部の縦断側面図である。
【図３】  要部の横断平面図である。
【図４】  スナップピンの平面図である。
【図５】  保持部材を取り外した状態における打込み装置の要部縦断側面図である。
【図６】  雄型スナップ嵌合体用の保持部材の要部縦断側面図である。
【図７】  スナップピンを前方へスライドさせた状態における要部の横断平面図である。
【図８】  従来例の説明図である。
【符号の説明】
Ａ…打込み装置、１２…取付け部材、１３…保持部材、１５…スリット、１７…スナップピン、１７ａ…折曲線材部分、１７ｂ…第１線材部分、１７ｃ…第２線材部分、１７ｄ…抜止め用の線材部分。
【図１】
0003967789.tif 000002
【図２】
0003967789.tif 000003
【図３】
0003967789.tif 000004
【図４】
0003967789.tif 000005
【図５】
0003967789.tif 000006
【図６】
0003967789.tif 000007
【図７】
0003967789.tif 000008
【図８】
0003967789.tif 000009